(57)【要約】 【課題】複数の会議参加者が関与する電話会議を効率良く行える方法を提供する。【解決手段】  本発明の電話会議を行う方法は、（Ａ）会議参加者のエンドポイントでトリガー事象を検出するステップと、（Ｂ）前記トリガー事象を動作に関連付けるステップと、（Ｃ）前記動作を電話会議内で待ち行列に入れるステップとを有する。更に、（Ｄ）前記動作と他の検出された動作の間でコンフリクトが存在するか否かを決定するステップを有する。更に（Ｅ）前記トリガー事象に基づいて、前記ダイナミック・アジェンダを更新するステップを有する。更に、（Ｆ）要求された動作の状態を、前記会議のエンドポイントに通知するステップを有する。更に、（Ｇ）前記コンフリクトを、ルール、ジョブ・ポジション、モデレータのプレファレンス、ランキング、優先度、肩書の何れかに基づいて、解消するステップを有する。【選択図】  図１
2013502828.tif 000002
【特許請求の範囲】
【請求項１】
複数の会議参加者が関与する電話会議環境で電話会議を行う方法に於いて、
（Ａ）会議参加者のエンドポイントでトリガー事象を検出するステップと、
（Ｂ）前記トリガー事象を動作に関連付けるステップと、
（Ｃ）前記動作を電話会議内で待ち行列に入れるステップと、
を有する
ことを特徴とする電話会議を実行する方法。
【請求項２】
（Ｄ）前記動作と他の検出された動作の間でコンフリクトが存在するか否かを決定するステップ
を更に有する
ことを特徴とする請求項１記載の方法。
【請求項３】
（Ｅ）前記トリガー事象に基づいて、前記ダイナミック・アジェンダを更新するステップ
を更に有する
ことを特徴とする請求項１記載の方法。
【請求項４】
前記ダイナミック・アジェンダは、複数の会議参加者の少なくとも１人に分配される
ことを特徴とする請求項１記載の方法。
【請求項５】
（Ｆ）要求された動作の状態を、前記会議のエンドポイントに通知するステップ
を更に有する
ことを特徴とする請求項１記載の方法。
【請求項６】
前記動作は、前記電話会議の環境の態様を制御する
ことを特徴とする請求項１記載の方法。
【請求項７】
前記トリガー事象は、感情、所作、顔の表情の変化、会議参加者の動きの何れかを含む
ことを特徴とする請求項１記載の方法。
【請求項８】
（Ｇ）前記コンフリクトを、ルール、ジョブ・ポジション、モデレータのプレファレンス、ランキング、優先度、肩書の何れかに基づいて、解消するステップ
を更に有する
ことを特徴とする請求項１記載の方法。
【請求項９】
請求項１記載のステップを実行する手段。
【請求項１０】
請求項１のステップを実行するインストラクションを有する非揮発性媒体。
【請求項１１】
複数の会議参加者が関与する電話会議環境で電話会議を行う会議システムに於いて、
（Ａ）会議参加者のエンドポイントでトリガー事象を検出する所作認識モジュールと、
（Ｂ）前記トリガー事象を動作に関連付けるトリガー事象モジュールと、
（Ｃ）前記動作を電話会議内で待ち行列に入れる待ち行列モジュールと、
を有する
ことを特徴とする電話会議を行う会議システム。
【請求項１２】
（Ｄ）前記動作と他の検出された動作の間でコンフリクトが存在するか否かを決定する待ち行列モジュール
を更に有する
ことを特徴とする請求項１１記載の会議システム。
【請求項１３】
（Ｅ）前記トリガー事象に基づいて、前記ダイナミック・アジェンダを更新するダイナミック・アジェンダ・モジュール
を更に有する
ことを特徴とする請求項１１記載の会議システム。
【請求項１４】
前記ダイナミック・アジェンダは、複数の会議参加者の少なくとも１人に分配される
ことを特徴とする請求項１１記載の会議システム。
【請求項１５】
（Ｆ）要求された動作の状態を、前記会議のエンドポイントに通知するカンファレンス・アジェンダ・モジュール
を更に有する
ことを特徴とする請求項１１記載の会議システム。
【請求項１６】
前記動作は、前記電話会議の環境の態様を制御する
ことを特徴とする請求項１１記載の会議システム。
【請求項１７】
前記トリガー事象は、感情、所作、顔の表情の変化、会議参加者の動きの何れかを含む
ことを特徴とする請求項１１記載の会議システム。
【請求項１８】
前記待ち行列モジュールは、前記コンフリクトを、ルール、ジョブ・ポジション、モデレータのプレファレンス、ランキング、優先度、肩書の何れかに基づいて、解消する
ことを特徴とする請求項１１記載の会議システム。
【請求項１９】
前記会議参加者は、カメラ、ディスプレイ、通信エンドポイントを有する
ことを特徴とする請求項１１記載の会議システム。
【請求項２０】
前記トリガー事象と、ファンクションに関連付けられたあるタイム・フレーム内で関連づけられるトリガー事象のあるシーケンスとの組合せを、検出でき、
前記会議参加者からのトリガー動作を重み付けして、電話会議の動作を全体として決定し、
前記トリガー事象は、アプリケーションを開始するリクエストの関連づけられる
ことを特徴とする請求項１１記載の会議システム。
【発明の詳細な説明】
【技術分野】
【０００１】
本発明は、通信（電話会議）を実行する方法に関し、特に顔の表情の認識と所作の認識を用いて、事象（例えば発言要求）をトリガーし、これ等の事象を他の会議参加者のリクエストに基づいて待ち行列に入れる方法に関する。更に本発明は、トリガー事象に基づいて、ダイナミック・アジェンダを形成する方法に関する。
【背景技術】
【０００２】
電話会議により人は情報を通信ネットワークを介して交換する。この情報は、音声、画像、マルチメディア情報を含む。従来、電話会議は、同一の領域内の複数の者の間で電話ベースで行われていた。この電話会議により、会議参加者は、顔を見ながら情報を得ることが出来る。高級な電話会議環境に改良を加えることにより、モデレータは、会議のある種の態様、例えばあるチャネルをミュートすること、あるチャネルを増幅すること、囁くチャネルの使用を許可する等の調整が出来るようになる。
以下の説明（翻訳）において、電話会議には、特に断りのない限り、参加者の映像が映し出される電話通信を意味する。
【発明の概要】
【発明が解決しようとする課題】
【０００３】
電話会議環境に於いては、誰が現在発言中か、誰が発言したいのか、どの所作があるイベントを起こさせようとしているのかを、決定するのは困難である。例えば複数の参加者の会議に於いては、複数の参加者が話したい場合には、その参加者の要求により発言者を組織し構成する必要がある。現在誰が発言しているのかそして次に誰が発言するかを決定できるような機能がない場合、発言者が重なることがある。
【課題を解決するための手段】
【０００４】
本発明の一実施例によれば、カメラが、各会議の参加者のエンドポイントに関連付けられている。このカメラは、静止画ベース或いは動画ベースの何れでも、会議参加者の所作（gesture）、顔の表情（facial recognition）、感情（emotion）、動き（movement）等を、監視（monitor）している。これ等のトリガー事象を検出して、トリガー事象と対応する動作（action）との関係が、確立される。
【０００５】
例えば会議参加者が挙手した時即ちトリガー事象を発した時に、システムは、これは発言の要求であると、認識する。すると、会議参加者は、他の会議参加者の要求と比較され、システムの待ち行列に入れられる。他の会議参加者の発言が終了すると、挙手した者が発言する番であり、システムは、それらが関連するエンドポイントを修正することにより、そのユーザーを待ち行列に入れる。
【０００６】
例えばシステムは、ユーザーに関連するエンドポイントに、光を当てる、メッセージを送る、画像或いは可聴のトリガーを送る、発言するユーザーに対し警告を与える。メッセージを送る場合には、これは、会議参加者に送られるダイナミック・アジェンダにより強化される。これにより会議参加者に発言の順番が与えられる。同様にメッセージは、ユーザーに関連するエンドポイント又は他の通信機器に、例えばＳＭＳ等の他のチャネル或いは通信モダリティを介して、送られる。
【０００７】
本発明の他の実施例によれば、顔の表情の認識又は所作の認識等を用いて、次の発言者を待たせておく為に、会議参加者の発言が終了する時間を決定するのを補助する。これは、本発明の他の態様にも拡張適用でき、カメラ・ベースの所作認識に関連する。このカメラ・ベースの所作認識エンジンを用いて、認識した顔の表情又は所作に基づいて、動作（アクション）を決定し認識し実行する。
【０００８】
更に本発明は、電話会議の環境において議論の流れを制御する。この態様に於いては、会議参加者は、電話会議システムで発言するために待ち行列に入れられる、そしてシステムは、発言者を、その人の要求或いは第２の情報に基づいて、待ち行列に入れる。この第２の情報の一例は、ジョブ・ポジション、モデレータのプレファレンス、ランキング、肩書、或いは優先度を決定する一般的な情報である。
【０００９】
本発明は、更にエンドポイントの修正をトリガーし、エンドポイントに居るユーザーの注意を引く方法に関する。例えばサーバーは、優先度を、発言要求者に、挙手又は他の動作に基づいて、与え、順番が回ってきた時に、そのエンドポイントをハイライトする。この情報は、ユーザーに、顔の表情或いはエンドポイントの認識に基づいて、提示され、ダイナミック・アジェンダ例えばマルチメディアの電話会議環境のリストを、会議の進行につれて、会議参加者に与える。この情報は、会議の進行につれてダイナミックに更新され、発言した者、発言している者、次の発言者を反映する。
【００１０】
本発明は、発言者が常にフォーカスされるよう、その人の動き或いは所作を追跡する機能と共に用いられる。これは、発言者をモニタするダイナミック・アジェンダと共に実現される。
本発明の一態様は、通信環境に於いて検出されたアクションに基づいて、アクティビティーをトリガーする。
本発明の一態様は、感情、所作、顔の表情等を検出し、通信環境に於いてアクティビティーをトリガーする。
本発明の一態様は、会議参加者の発言を求める要求（たの検出可能な動作）に基づいて集められたダイナミック・アジェンダ（トリガー事象に関連付けられている）を形成し管理する。
本発明の一態様は、トリガー事象を通信環境内の対応するアクションにマッピングする。
本発明の一態様は、会議環境を、顔の表情、所作認識、感情認識の何れかに基づいて管理する。
本発明の態様は、会議参加者に、アジェンダ内のその人の立場を通知する。例えば、次にアジェンダに入る事を通知し、更に発言する順番が来たことを通知する。
本発明の態様は、ダイナミック・アジェンダを宛先例えばユーザーに関する通信エンドポイントに分配する。
本発明の一態様は、その発言要求者と他の人とのコンフリクトをランク付けする。
本発明の一態様は、会議環境を、顔の表情、所作認識、感情認識を、音声認識と組み合わせて、管理する。
【図面の簡単な説明】
【００１１】
【図１】本発明の通信環境のブロック図。
【図２】トリガー事象を検出する本発明の方法のフローチャート図。
【図３】コンフリクトを解消し、ダインミック・アジェンダを更新する本発明の方法のフローチャート図。
【発明を実施するための形態】
【００１２】
図１に本発明の一実施例の通信環境１を示す。通信環境１はネットワーク１０を有する。このネットワーク１０は、複数の通信装置とインターネット情報ソース等を接続する。
【００１３】
図１に於いて、通信環境１は、会議参加者２，４，６と、会議用のハードウエア等を含む。一例として会議用ハードウエアは、通信エンドポイント２３０を含む。通信エンドポイント２３０の一例は、電話、画像通信エンドポイント、マルチメディア・エンドポイント、より一般的には通信情報を送受信する通信エンドポイントである。更にカメラ２１０は、静止画又は動画を問わず、通信エンドポイント２３０とインディケータ２２０に関連付けられている。このインディケータ２２０の一例は、光、スピーカー、ＧＵＩ、ディスプレイ等である。エンドポイントはマイクを含む。
【００１４】
更に通信環境１は、警報システム１００を含む。この警報システム１００は、様々な通信エンドポイントを、ネットワーク１０とリンク５を介して、接続する。警報システム１００は、所作認識（gesture recognition）モジュール１１０と、ダインミック・アジェンダ（dynamic agenda ）モジュール１２０と、トリガー事象（triggering event）モジュール１３０と、待ち行列（queuing）モジュール１４０と、会議エージェント（conference agent）モジュール１５０と、顔面認識（facial recognition）モジュール１６０と、プロセッサ１７０と、記憶装置１８０とを有する。本発明の一実施例に於いては、所作認識モジュール１１０と顔面認識モジュール１６０は、図１に示すようにエンドポイントと同じ場所に配置される。
【００１５】
次に動作について説明する。警報システム１００は、通信のエンドポイントとそれに関連する会議参加者との間における会話の開始を監視する。一般的に、所作認識モジュール１１０と顔面認識モジュール１６０とで、トリガー事象が検出される。トリガー事象の一例は、会議中の会議参加者の変更状態或いはその欠席状態である。例えば顔の表情の変化、所作、挙手、起立、椅子にそっくり返る動作等のあらゆる動作は、トリガー事象のベースとして用いられる。
【００１６】
上記の変化の１つがトリガー事象の場合には、そのトリガー事象は、それに対応するアクション（動作）に関連付けられる。会議参加者４が挙手して発言したいと主張することを想定してみる。待ち行列モジュール１４０とプロセッサ１７０と記憶装置１８０と共に、トリガー事象モジュール１３０により、トリガー事象は、カメラにより検出され、様々な方法で処理されるアクションに、関連付けられる。
【００１７】
第１の例によれば、トリガーされた動作（アクション）は、適宜の時間まで、待ち行列モジュール１４０内で、待機させられる。ここで適宜の時間の一例は、会話の中断時である。この会話の中断時に、警報システム１００が、待ち行列モジュール１４０と共に、可聴音で或いは画面上で、会議参加者４に指摘（indicator）を与える。これは、インディケータ２２０を介して、そのトリガー事象が認識され次に発言する番であることを示すことにより行われる。更に、待ち行列モジュール１４０は、所作認識モジュール１１０と顔面認識モジュール１６０と共働し、リアルタイムで或いはほぼリアルタイムで、自分のしたこと（トリガー・アクション）が検出されるか否かに関する情報を、様々な会議参加者に流す。
【００１８】
トリガー・アクションの検出情報は、ディスプレイ、音、或いは他の方法で、会議参加者に通知される。選択的事項として、会議参加者には、どのトリガー・アクションがどのアクティビティーを起動したかが通知される。更なる実施例に於いては、会議参加者には、トリガー事象に関連する動作を上書きしたり或いは取り消したりする機能が与えられる。このような状況は、例えば会議参加者の気が変わったり、或いはそのアクションが誤解されたような場合である。
【００１９】
本発明の他の実施例によれば、会議環境は、顔の表情の認識、所作の認識、感情の認識を、音声認識を用いて管理する。例えば他のタイプのトリガー事象は、ある言葉、フレーズ等の検出であり、これ等を上記の認識と共に用いて、対応するアクションをトリガーする。
【００２０】
本発明の他の実施例によれば、通信は、複数の会議参加者の間、例えばマルチメディア会議の間で開始する。トリガー事象は、所作認識モジュール１１０と顔面認識モジュール１６０と共に、それぞれの会議参加者に関連するエンドポイントで、検出される。トリガー事象の性質によって、対応する動作が、検出されたトリガー事象と対応するアクションとの関係に基づいて、待ち行列に入れられる。
例えば、記憶装置１８０はルックアップ・テーブルを記憶する。このルックアップ・テーブルには、トリガー事象のリストとそれに対応するアクションのリストが含まれている。ルックアップ・テーブルは、会議のモデレータ、会議参加者、一般的にはあるエンティティにより更新され編集され修正される。更にルックアップ・テーブルは、トリガー事象が検出されると、会議参加者から受領したフィードバック情報に基づいて、ダイナミックに更新される。会議参加者は、エンドポイントに関連するエンドポイントデバイスを介して、フィードバックされたこれ等の事象を、受け入れたり無視したり出来る。
【００２１】
一例として、会議参加者にはキー又は記号が与えられ、これらにより、会議参加者にトリガー事象とそれに対応する動作（アクション）が通知される。これにより、会議参加者は、正しい動作（アクション）或いは所作をして、対応する正しい動作を選択できる。これにより、意図しない動作の検出を取り消すことが出来る。その理由は、参加者はどの所作が検出され、どの動作がトリガーされたのを知っているからである。
【００２２】
例えば、会議エージェント・モジュール１５０は、トリガー事象が適切に検出されたか否かに関し様々な会議参加者からのフィードバックを受領すると、このフィードバックを適切なものとして、ルックアップ・テーブルを更新する。
【００２３】
会議は、それに関連するアジェンダを含む。このアジェンダには、会議の流れを支配する複数のアジェンダ・アイテムを含む。トリガー事象の性質によっては、アジェンダを修正するために、会議エージェント・モジュール１５０が必要とするものがある。例えば、アジェンダは、警報システム１００にアップロードされ記憶装置１８０に記憶される。本発明のシステムは、モデレータ或いは参加者と共に、アジェンダのどの点が現在議論され、どれが次に議論されるか等に関する指示を与え、これにより、会議の流れを円滑に進める。
【００２４】
様々なトリガー事象が検出されると、アジェンダを更新する必要がある。これは、ダイナミック・アジェンダ・モジュール１２０の協力により行われる。例えば、トリガー事象とそれに対応するアクションを検出すると、決定されたアクションと現在のアジェンダ・アイテムとの間にコンフリクトが存在するか否かについての決定がなされる。このコンフリクトの判断は、ルール、タイムライン、モデレータのプレファレンス、一般的には複数のアジェンダ・アイテムの間のコンフリクトを解決するのに用いられる基準に、基づく。
【００２５】
コンフリクトが存在すると決定された場合には、様々なファクターが調査され、待ち行列モジュール１４０が、アジェンダ・アイテムがダイナミックに更新可能なアジェンダ内の何処に入るかを決定する。トリガーされたアクションに対する適切な挿入点が決定されると、ダイナミック・アジェンダ・モジュール１２０と共働して、アジェンダは、ダイナミックに更新され、システムがアジェンダ・ポイントに達した時点或いはその直前に、トリガー事象に関連する参加者には、その自分の番が来たことが通知される。
更に、ダイナミック・アジェンダが会議参加者に提示され、その結果、会議参加者は、トリガーされたアクションの影響がどのようなものであるかを、アクションがアジェンダに挿入される場所を、リアルタイム或いはほぼリアルタイムで、見ることが出来る。これは、他の会議参加者についても当てはまり、全ての更新されたアジェンダ・アイテムは、ダイナミック・アジェンダ内に表示可能である。
【００２６】
このプロセスは会議の間中継続する。多くのトリガー事象が検出されると、ダイナミック・アジェンダ・モジュール１２０は、コンフリクトを解決し、様々なトリガー動作をアジェンダ内に適切なものとして、入れる。ある種のトリガー動作は、重要度を、トリガー事象の性質、会議参加者のランク、優先度を決定するのに使用される他の程度、警報システム１００内のある種のトリガー事象に基づいて、決定する。
【００２７】
図２は警報システム１００の動作を示すフローチャート図である。本発明の方法はステップＳ２００で開始し、次にステップＳ２１０に移る。ステップＳ２１０に於いて、会議が開始する。次にステップＳ２２０に於いて、トリガー事象が検出される。その後ステップＳ２３０に於いて、このトリガー事象に関連付けられた動作（アクション）が、システム内で待ち行列に入れる。その後制御は、ステップＳ２４０に移る。
【００２８】
ステップＳ２４０に於いて、システムが、アクションが待ち行列にあったトリガー・ポイントに達すると、アクションが実行され、次にステップＳ２５０に移る。そこで制御シーケンスは終了する。
【００２９】
図３は警報システム１００の動作を表すフローチャート図である。本発明の方法はステップＳ３００で開始し、ステップＳ３１０に進む。ステップＳ３１０に於いて会議が開始される。次にステップＳ３２０に於いて、会議参加者に関連するトリガー事象が検出される。その後ステップＳ３３０に於いて、検出されたトリガー事象に関連するアクションが、最初のアジェンダの待ち行列に入れられる。その後ステップＳ３４０に進む。
【００３０】
ステップＳ３４０に於いて、待ち行列にあるアクションの間にコンフリクトがあるか否かの決定がなされる。ステップＳ３５０に於いて、コンフリクトが存在すると決定された場合には、ステップＳ３５２に進み、それ以外はステップＳ３６０に進む。
【００３１】
ステップＳ３６０に於いて、アクションがダイナミック・アジェンダ内の待ち行列に置かれる。次にステップＳ３７０に於いて、別のトリガー事象が発生したか否かの決定がなされる。別のトリガー事象が発生した場合には、ステップＳ３３０に戻り、それ以外はステップＳ３８０に進む。
【００３２】
コンフリクトが存在すると決定した場合には、ステップＳ３５２に進み、そこで他のファクターが優先度を決定するために、考慮される。他のファクターとは、会議参加者のＩＤ、会議参加者のランク、検出されたアクションの階層関係、トリガー・アクションが高い優先度を持つか否かに関する会議参加者からの指示、ルール等である。これ等のファクターは、ステップＳ３５４に於いて、上書きされる或いは用いられて、アクションがダイナミック・アジェンダの待ち行列に入る場所を決定する。そしてステップＳ３８０に進む。
【００３３】
ステップＳ３８０に於いて、会議参加者には、自分が待ち行列内で次の番であることが通知される。他の実施例に於いては、ダイナミック・アジェンダは、全部或いは一部が、会議参加者に与えられる。この会議参加者には、トリガー事象の検出された場所、トリガー事象とその対応するアクションがダイナミック・アジェンダ内の何処に置かれているかを可視化する。次にステップＳ３９０に於いて、カウントダウン、次の順番の指示、他の通知が、会議参加者に与えられ、それ等は順番が近づいている或い１番であることを、ダイナミック・アジェンダを介した進捗状況に基づいて、通知される。次に制御は、ステップＳ３９９に進み、そこで制御シーケンスは終了する。
【００３４】
他の実施例に於いては、トリガー事象は会議制御機能に関連づけられる。ある所作は別の会議参加者は聞こえていないことを示す。例えばユーザーが自分の手を耳に当てることにより、会議ブリッジに対し、その発言者に関連するチャネルの音量を上げることを要求する。同様にトリガー事象を用いて、別の会議参加者例えばモデレータに、会議参加者が何をしているか、例えば居眠りしている旨のフィードバックを与える。
【００３５】
他の実施例においては、機能又は動作に関連するあるタイムフレーム内で、トリガー事象とこのトリガー事象のシーケンスとの組合せを検出する。
【００３６】
他の実施例においては、会議参加者からのトリガー・アクションに重み付けして、会議にとって全体として何が最適であるかを決定する。例えば、複数の会議参加者が、フィードバックを経験していることを示唆した場合には、システム例えばカンファレンス・ブリッジは、フィルターを立ち上げてフィードバックを制御する。
別のオプションは、トリガー事象を、アプリケーションを走らす、例えばホワイト・ボーディング・アプリケーションを走らすリクエストに関連付ける。
【００３７】
ここで議論したフローチャートは、特定のイベントのシーケンスを例に説明するが、本発明の操作に影響を及ぼすことなく、これ等のシーケンス（プロセス）の変更、追加、一部省略も可能である。本発明のシステムと方法は、特殊コンピュータ、プログラムされたマイクロプロセッサ、マイクロコントローラ、ＡＳＩＣ、他の集積回路ＤＳＰ、ハードワイヤド電子素子、論理素子、例えばディスクリートな要素回路、プログラム可能な論理回路、ゲートアレイ、例えばＰＬＤ、ＰＬＡ、ＦＰＧＡ、ＰＡＬ、特殊目的コンピュータ或いは他の手段で実現できる。フローチャートは、本発明の実施に影響を与えない限り、ここに開示したステップ以外のステップを含んでもよく省略してもよい。或いは、必要に応じて、適宜順番を変えてもよい。
他の実施例に於いては、開示された方法は、コンピュータで読み取り可能な記憶媒体に記憶されたソフトウエアで実行され、コントローラとメモリとを有するプログラムされた汎用コンピュータ、特殊目的コンピュータ、マイクロプロセッサ等で実施される。これ等の実施例に於いては、本発明のシステムと方法は、パソコンに組み込まれたプログラムで実行できる。例えばアプレット、ＪＡＶＡ、ＣＧＩスクプリト、サーバ或いはコンピュータ、ワークステーションに記録された資源或いは専用の測定システムに組み込まれたルーチン等で実施できる。
本発明のシステムは、本発明のシステムと方法をソフトウエア又はハードウエアのシステムに物理的に組み込むことにより実施することもできる。  本発明は、特定の標準及びプロトコルを例に説明したが、本発明はこのような標準とプロトコルに制限されるものではない。他の類似の標準とプロトコルも本発明で用いることができる。これ等の標準とプロトコルは、今後開発されるより効率的な標準とプロトコルで置換されるかも知れないが、このような置換も本発明の一態様（一実施例）と考えられる。
【００３８】
以上の説明は、本発明の一実施例に関するもので、この技術分野の当業者であれば、本発明の種々の変形例を考え得るが、それらはいずれも本発明の技術的範囲に包含される。特許請求の範囲の構成要素の後に記載した括弧内の番号は、図面の部品番号に対応し、発明の容易なる理解の為に付したものであり、発明を限定的に解釈するために用いてはならない。また、同一番号でも明細書と特許請求の範囲の部品名は必ずしも同一ではない。これは上記した理由による。用語「又は」に関して、例えば「Ａ又はＢ」は、「Ａのみ」、「Ｂのみ」ならず、「ＡとＢの両方」を選択することも含む。特に記載のない限り、装置又は手段の数は、単数か複数かを問わない。
【符号の説明】
【００３９】
１  通信環境
２，４，６  会議参加者
５  リンク
１０  ネットワーク
１００  警報システム
１１０  所作認識モジュール
１２０  ダイナミック・アジェンダ・モジュール
１３０  トリガー事象モジュール
１４０  待ち行列モジュール
１５０  会議エージェント・モジュール
１６０  顔面認識モジュール
１７０  プロセッサ
１８０  記憶装置
２１０  カメラ 
２２０  インディケータ
２３０  通信エンドポイント
図２
Ｓ２００：開始
Ｓ２１０：会議の開始
Ｓ２２０：トリガー事象を検出する
Ｓ２３０：動作を、トリガー事象と動作の関連に基づいて待ち行列にいれる
Ｓ２４０：動作を実行する
Ｓ２５０：終了
図３
Ｓ３００：開始
Ｓ３１０：会議の開始
Ｓ３２０：トリガー事象を検出する
Ｓ３３０：動作を、トリガー事象と動作の関連に基づいて待ち行列にいれる
Ｓ３４０：複数の動作の間にコンフリクトが存在するか否か決定する
Ｓ３５０：コンフリクトがあるか？
Ｓ３５２：優先度を決定するために他のファクタを見る
Ｓ３５４：ダイナミック・アジェンダ内の優先度に基づいて動作を待ち行列に入れる
Ｓ３６０：ダイナミック・アジェンダ内に動作を待ち行列に入れる
Ｓ３７０：別のトリガー事象があるか？
Ｓ３８０：会議参加者に自分が次の順番であることを通知する
Ｓ３９０：会議参加者に自分の番であることを通知する
Ｓ３９９：終了
【図１】
2013502828.tif 000003
【図２】
2013502828.tif 000004
【図３】
2013502828.tif 000005
【手続補正書】
【提出日】平成24年2月27日(2012.2.27)
【手続補正１】
【補正対象書類名】特許請求の範囲
【補正対象項目名】全文
【補正方法】変更
【補正の内容】
【特許請求の範囲】
【請求項１】
複数の会議参加者が関与する電話会議環境で電話会議を行う方法に於いて、
（Ａ）会議参加者のエンドポイントでトリガー事象を検出するステップと、
（Ｂ）前記トリガー事象を動作に関連付けるステップと、
（Ｃ）前記動作を電話会議内で待ち行列に入れるステップと、
を有する
ことを特徴とする電話会議を実行する方法。
【請求項２】
（Ｄ）前記動作と他の検出された動作の間でコンフリクトが存在するか否かを決定するステップと、
（Ｅ）前記トリガー事象に基づいて、前記ダイナミック・アジェンダを更新するステップと
を更に有する
ことを特徴とする請求項１記載の方法。
【請求項３】
（Ｆ）要求された動作の状態を、前記会議のエンドポイントに通知するステップと、
を更に有し、
（Ｇ）前記コンフリクトを、ルール、ジョブ・ポジション、モデレータのプレファレンス、ランキング、優先度、肩書の何れかに基づいて、解消するステップと
を更に有する
ことを特徴とする請求項１記載の方法。
【請求項４】
前記動作は、前記電話会議の環境の態様を制御し、
前記トリガー事象は、感情、所作、顔の表情の変化、会議参加者の動きの何れかを含む
前記ダイナミック・アジェンダは、複数の会議参加者の少なくとも１人に分配される
ことを特徴とする請求項１記載の方法。
【請求項５】
請求項１記載のステップを実行する手段。
【請求項６】
複数の会議参加者が関与する電話会議環境で電話会議を行う会議システムに於いて、
（Ａ）会議参加者のエンドポイントでトリガー事象を検出する所作認識モジュールと、
（Ｂ）前記トリガー事象を動作に関連付けるトリガー事象モジュールと、
（Ｃ）前記動作を電話会議内で待ち行列に入れる待ち行列モジュールと、
を有する
ことを特徴とする電話会議を行う会議システム。
【請求項７】
（Ｄ）前記動作と他の検出された動作の間でコンフリクトが存在するか否かを決定する待ち行列モジュール
を更に有する
ことを特徴とする請求項６記載の会議システム。
【請求項８】
（Ｅ）前記トリガー事象に基づいて、前記ダイナミック・アジェンダを更新するダイナミック・アジェンダ・モジュール
を更に有する
ことを特徴とする請求項６記載の会議システム。
【請求項９】
前記動作は、前記電話会議の環境の態様を制御し、
前記トリガー事象は、感情、所作、顔の表情の変化、会議参加者の動きの何れかを含み、
前記会議参加者は、カメラ、ディスプレイ、通信エンドポイントを有し、
前記待ち行列モジュールは、前記コンフリクトを、ルール、ジョブ・ポジション、モデレータのプレファレンス、ランキング、優先度、肩書の何れかに基づいて、解消する
ことを特徴とする請求項６記載の会議システム。
【請求項１０】
前記トリガー事象と、ファンクションに関連付けられたあるタイム・フレーム内で関連づけられるトリガー事象のあるシーケンスとの組合せを、検出でき、
前記会議参加者からのトリガー動作を重み付けして、電話会議の動作を全体として決定し、
前記トリガー事象は、アプリケーションを開始するリクエストの関連づけられる
ことを特徴とする請求項６記載の会議システム。
【国際調査報告】
2013502828.tif 000006